(57)【要約】【課題】携帯型作業機の荷重が作業者の片側に集中するのを防止すると共に、作業者の胸部範囲に不快な圧迫感を生じさせることがなく、作業者の肩、腰及び側筋部等に不均一な荷重が加わらないようにした携帯型作業機の支持装置を提供する。【解決手段】背板２の前面上部側には、左右一対の肩ベルト３、４の一端部が固定され、背板２の前面下部側には、腰ベルト５が固定されている。図示せぬ携帯型作業機を装着する支持板６を中間に保持した支持ベルト７は、一端が背板２に下向きの傾斜角度で固定され、他端部には、一端が背板２に下向きの傾斜角度で固定された第１側部ベルトと係脱するバックルの雌部材３１が配されている。支持ベルト７の他端部側は、一端が背板２に下向きの傾斜角度で固定された第２側部ベルト９の端部に固定されている。第１側部ベルト８及び第２側部ベルト９は、それぞれ腰ベルト５に設けた挿通部材１５ｂ、１６ｂに挿通されている。【選択図】図１
2005143453.tif 000002
【特許請求の範囲】
【請求項１】
背板と、
前記背板の上端部側に一端部側が固定され、他端部側を自由端部とした左右一対の肩ベルトと、
前記背板の下端部側に中間部が固定され、両端部を自由端部とした腰ベルトと、
携帯型作業機の支持板を保持する支持ベルトと、
を備えた携帯型作業機の支持装置において、
前記支持ベルトが、前記背板の上端部側から下端部側に向かう下向き傾斜角度で前記背板に固定された一端部側と、前記支持板を保持した中間部と、第１係脱部を取り付けた他端部とを有し、
更に、前記左右一対の肩ベルトの各自由端部と前記腰ベルトの各自由端部とを連結して長さ調整自在の左右一対の肩紐を形成する、少なくとも前記一方の各自由端部に取り付けられたバンドと、
前記支持ベルトとは異なる下向き傾斜角度で一端部側が前記背板に固定され、他端部側に前記第一係脱部と係脱する第２係脱部を取り付けた第１側部ベルトと、
前記支持ベルト及び第１側部ベルトとは異なる下向き傾斜角度で一端部側が前記背板に固定され、他端部側が前記支持ベルトの前記中間部と他端部との間における支持ベルトに結合した第２側部ベルトと、
を備えたことを特徴とする携帯型作業機の支持装置。
【請求項２】
前記第２側部ベルトの長さが調節自在であることを特徴とする請求項１記載の携帯型作業機の支持装置。
【請求項３】
前記第１側部ベルトの長さが調節自在であることを特徴とする請求項１又は２記載の携帯型作業機の支持装置。
【請求項４】
前記腰ベルトが、前記第１側部ベルト及び第２側部ベルトをそれぞれ遊びをもって挿通できる一対の挿通部材を備えてなることを特徴とする請求項１〜３のいずれかに記載の携帯型作業機の支持装置。
【発明の詳細な説明】
【技術分野】
【０００１】
本発明は刈払機、剪枝機等の各種携帯型作業機の支持装置に係わり、特に、携帯型作業機の荷重を作業者の両肩、腰等に対して均等に分散させて支持することのできる支持装置に関する。
【背景技術】
【０００２】
従来から、刈払機等の携帯型作業機を作業者の肩等により支持する支持装置が多用されている。携帯型作業機の支持装置として、作業者の胸部範囲に不快な負荷が生ずることがなく、しかも作業者の肩に均一な荷重分布が可能であるように構成した支持用ベルト装置（例えば、特許文献１参照。）が提案されている。
【０００３】
特許文献１に開示された支持用ベルト装置は、図９に示すような構成となっている。即ち、ベルト装置４８は、背板４９の上部範囲に肩ベルト５１、５２が固定されている。肩ベルト５１、５２を背板４９に固定する範囲に、側部ベルト５５の第１後端部５６が固定されている。側部ベルト５５は、背板４９の上部範囲から側方を斜めに下方前方へ延び、側部ベルト５５の前端部５７はほぼ作業者４１の胸郭の下側範囲で終る構成となっている。
【０００４】
肩ベルト５１、５２の自由前端部５３は、骨盤ベルト５９の前端部６１及び側部ベルト５５の前端部５７から離れて位置し、肩ベルト５１、５２の自由前端部５３は、側部結合バンド５４を介して背板４９と結合されている。
【０００５】
側部ベルト５５の下方には、支持板４７の方向に開いた骨盤ベルト５９が配置されている。骨盤ベルト５９の後端部６０側は、背板４９の脚部範囲５０に固定されている。背板４９は上部固定範囲６３から作業者４１の縦軸線４３の下方に沿って脚部範囲５０が形成され、全体として下方に向かった先細り形状に形成されている。
【０００６】
骨盤ベルト５９の前端部６１は、ほぼ作業者の胸郭の下方で終っている。側部ベルト５５の前端部５７は、骨盤ベルト５９の前端部６１に近接した状態に配設されており、同側部ベルト５５の前端部５７には、調整バンド５８を介して骨盤ベルト５９の前端部６１が結合されている。調整バンド５８の両端部は、側部ベルト５５の前端部５７及び骨盤ベルト５９の前端部６１にそれぞれ固定されている。
【０００７】
支持バンド４５の一端４６は、長さ調整可能に調整バンド５８に対して取り付けられており、その中央範囲において作業者４１の側部に位置する支持板４７に固定され、他端４４において長さ調整可能に骨盤ベルト５９の後端部６０に固定されている。支持板４７には、図示せぬ携帯型作業機を取り付ける懸架環６２が設けられている。
【０００８】
これにより、側部ベルト５５の前端部５７と肩ベルト５１、５２の自由前端部５３との間には、骨盤ベルト５９の前端部６１と肩ベルト５１、５２の自由前端部５３との間と同様に、直接の結合部は殆ど存在しない構成とすることができる。また、支持板４７の方向に開いた骨盤ベルト５９は、力伝達のため支持バンド４５により閉止されており、図示せぬ作業機械の重力により支持板４７に作用する矢印４２方向の荷重は、骨盤ベルト５９により作業者４１の腰部で保持される。
【特許文献１】特許第２８８９５５５号公報
【発明の開示】
【発明が解決しようとする課題】
【０００９】
上記特許文献１に開示された支持用ベルト装置では、背板４９を一対の肩ベルト５１、５２と側部結合バンド５４とにより構成される肩紐で背負い、支持板４７で支持した携帯型作業機の荷重を、支持バンド４５と側部ベルト５５及び骨盤ベルト５９とによって保持する構成となっている。
【００１０】
しかも、図９における作業者４１の左側における側筋部側及び腰部によって、支持板４７で支持した携帯型作業機の荷重の大部分を保持する構成となっている。このため、携帯型作業機を長時間使用していると、作業者の左側の側筋部や左側の腹部が常に圧迫された状態となり、左側の側筋部や腹部に過度の疲労が蓄積してしまうことになる。
【００１１】
本願発明の課題は、携帯型作業機の荷重が作業者の片側に集中するのを防止すると共に、作業者の胸部範囲に不快な圧迫感を生じさせることがなく、作業者の肩、腰及び側筋部等に不均一な荷重が加わらないようにした携帯型作業機の支持装置を提供することである。
【課題を解決するための手段】
【００１２】
本願発明の課題は請求項１〜４に記載された各発明により達成することができる。
即ち、本願発明では請求項１に記載したように、背板と、前記背板の上端部側に一端部側が固定され、他端部側を自由端部とした左右一対の肩ベルトと、前記背板の下端部側に中間部が固定され、両端部を自由端部とした腰ベルトと、携帯型作業機の支持板を保持する支持ベルトと、を備えた携帯型作業機の支持装置において、前記支持ベルトが、前記背板の上端部側から下端部側に向かう下向き傾斜角度で前記背板に固定された一端部側と、前記支持板を保持した中間部と、第１係脱部を取り付けた他端部とを有し、更に、前記左右一対の肩ベルトの各自由端部と前記腰ベルトの各自由端部とを連結して長さ調整自在の左右一対の肩紐を形成する、少なくとも前記一方の各自由端部に取り付けられたバンドと、前記支持ベルトとは異なる下向き傾斜角度で一端部側が前記背板に固定され、他端部側に前記第一係脱部と係脱する第２係脱部を取り付けた第１側部ベルトと、前記支持ベルト及び第１側部ベルトとは異なる下向き傾斜角度で一端部側が前記背板に固定され、他端部側が前記支持ベルトの前記中間部と他端部との間における支持ベルトに結合した第２側部ベルトと、を備えたことを特徴とする携帯型作業機の支持装置を最も主要な特徴となしている。
【００１３】
また、本願発明では請求項２に記載したように、前記第２側部ベルトの長さが調節自在であることを主要な特徴となしている。
更に、本願発明では請求項３に記載したように、前記第１側部ベルトの長さが調節自在であることを主要な特徴となしている。
【００１４】
更にまた、本願発明では請求項４に記載したように、前記腰ベルトが、前記第１側部ベルト及び第２側部ベルトをそれぞれ遊びをもって挿通できる一対の挿通部材を備えてなることを主要な特徴となしている。
【発明の効果】
【００１５】
本発明では、肩ベルトと腰ベルト及び肩ベルトと腰ベルトとの間に介在させたバンドとにより左右一対の肩紐を構成し、同左右一対の肩紐にて背板を作業者が背負うことができる構成を備えるとともに、背板にそれぞれの一端部を固定した支持ベルト、第１側部ベルト及び第２側部ベルトとにより、支持ベルトで保持した支持板に装着した携帯用作業機の荷重を支える構成としたことを特徴としている。
【００１６】
この発明により、携帯用作業機の荷重によって支持ベルト、第１側部ベルト及び第２側部ベルトを介して作業者の左右側筋側を締め付ける圧迫力を、左右の側筋に対して均等に作用させることができるようになる。このため、作業者の片側の側筋において、集中的に圧迫力が作用するのを防止することができる。
【００１７】
また、支持ベルト、第１側部ベルト及び第２側部ベルトに作用する携帯用作業機の荷重からの引張り力は、第２側部ベルト及び支持ベルトと第１側部ベルトとに分散して作用することができる。しかも、支持ベルト、第１側部ベルト及び第２側部ベルトを背板に固定する傾斜角度がそれぞれ異ならしたことにより、支持ベルト、第１側部ベルト及び第２側部ベルトにそれぞれ作用する携帯用作業機の荷重からの引張り力を合力した合力の方向を、背板の上下方向の中心線近傍における方向とすることができる。
【００１８】
このためには、支持ベルトの作業者に対する配置関係、第２側部ベルトとの作業者に対する配置関係及び第１側部ベルトの作業者に対する配置関係を、それぞれ作業者の骨盤側及び作業者の左右の側筋側を通る配置関係となるように支持ベルト、第１側部ベルト及び第２側部ベルトを背板に対して異なる傾斜角度にて固定しておくことが望ましい。これらの構成によって、背板に作用する上記合力を左右一対の肩紐が左右均等に受けるように分配することができる。
【００１９】
また、背板を保持する肩紐を左右一対の肩ベルト、腰ベルト及び肩ベルトと腰ベルトとを連結するバンドとにより構成しており、しかも、腰ベルトの自由端部は作業者の腰板として作用することができるので、背板に加わる荷重を作業者の両肩と腰とにより分散して支えることができる。更に、肩ベルトと腰ベルトとにより背板を保持することができるので、携帯型作業機の作業中においても背板が作業者の背中を移動することなく、背中の同じ位置で安定して保持されることになる。これにより、携帯型作業機の作業中に背板が作業者の背中で遊び回ってしまい、作業者に対する背板の当接位置が携帯型作業機の使用中に移動して、左右の肩紐に加わる荷重バランスが失せるのを防止することができ、常に安定した状態で背板を保持することができる。
【００２０】
左右一対の肩紐の構成としては、左右一対の肩ベルトの各自由端と腰ベルトの左右の自由端とをベルトを用いて連結し、同ベルトの一端部を縫製等により前記一方の自由端に固定し、ベルトの他端を前記他方の自由端に取り付けたベルトアジャスターに係合させることで、肩紐の長さを作業者に合わせて調整できる構成とすることができる。あるいは、前記一方の自由端に固定したベルトにバックル等の雄部材又は雌部材の一方を位置調整自在に取り付け、前記他方の自由端にはバックルの雌部材又は雄部材の他方を取り付けた構成等を採用することもできる。
【００２１】
肩ベルト、腰ベルト、第１側部ベルト及び第２側部ベルトとしては、内部に発泡体やゴムスポンジ等を合成繊維製の生地やキャンパス生地等により内包した形状の可撓性を有するベルトを用いることや、あるいは発泡体やゴムスポンジ等を合成繊維製の生地やキャンパス生地等によりカバーしたパッド部材を別途設け、同パッド部材を取り付けたバンドを用いることもできる。また、肩ベルト、腰ベルト、第１側部ベルト及び第２側部ベルトを作業者に近い立体形状に変形し易くするために、発泡体やゴムスポンジ等にスリットを形成しておくこともできる。更には、肩ベルト、腰ベルト、第１側部ベルト及び第２側部ベルトの内部に、厚手の生地や合成樹脂製の板等により形成した可撓性を有する補強板を設けておくこともできる。
【００２２】
これにより肩ベルト、腰ベルト、第１側部ベルト及び第２側部ベルトと作業者の身体との当接面が柔らかく、しかも作業者の身体に密着して安定した状態で当接することができる。バンドとしては、通常のリックサック等で用いられている合成繊維製の生地で形成したバンドやキャンパス生地で形成したバンド等を使用することができるものである。
【００２３】
背板としては、特にその材質や形状が限定されるものではないが、引張り強度を有し適度の柔軟性のある合成物質により背板を構成することが望ましい。背板の形状としては、作業者の背中に密着して安定した状態で当接することができ、肩ベルト、腰ベルト、第１側部ベルト、第２側部ベルト及び支持ベルトを固定することができる形状、強度とすることが望ましい。また、作業者の汗を発汗させる中抜き部を背板に所望の強度を保持できる範囲内で形成しておくこともできる。
【００２４】
支持板には、携帯型作業機を保持する懸架環等を設けておくことができる。作業者の側部に位置するように支持板を支持ベルトに固定して保持されるようにすることも、支持ベルトを支持板に形成した複数の貫通孔に通して、支持ベルトの長さ方向に移動可能に支持板を保持することもできる。
【００２５】
支持ベルトの端部に取り付けた第１係脱部と第１側部ベルトの他端部に取り付けた第２係脱部とで形成する係脱手段としては、例えば、バックル等の雄雌部材が着脱自在の係脱手段を用いることができる。第１側部ベルトに一端部を固定したバンド等を介して第１側部ベルトと第２係脱部との間を連結した構成とすることもできる。その際、請求項３に記載したように、第２係脱部を第１側部ベルトに一端部を固定したバンド等に対して取付け位置自在に取り付けておくことが望ましい。
【００２６】
請求項２に記載したように、第２側部ベルトの長さを調節自在とすることで、支持板に保持された携帯型作業機の荷重を支持ベルト及び第２側部ベルトとによる支持力と第１ベルトによる支持力とに均等に分散させることができる。また、支持ベルトにおける背板に固定された一端と支持板を保持する中間部との間の長さを調節自在としておくこともできる。
【００２７】
支持ベルトの背板に固定された一端と支持板を保持する中間部との間の長さ、第１側部ベルトの長さ及び第２側部ベルトの長さをそれぞれ調節自在とすることで、支持板の取付け位置、背板に加わる支持ベルト、第１及び第２側部ベルトから加わる荷重の合力方向が背板のほぼ中心線近傍となるように、作業者の体格、伸長等に合わせてより精度良く調節することができるようになる。
【００２８】
請求項４に記載したように、腰ベルトに第１側部ベルト及び第２側部ベルトをそれぞれ遊びをもって挿通できる一対の挿通部材を備えることにより、第１側部ベルト及び第２側部ベルトの作業者に対する当接位置を規制することができる。これにより、携帯型作業機の使用中に第１側部ベルト及び第２側部ベルトが作業者の側筋部側で位置ずれを起こしたりするのを防止することができる。
【００２９】
また、腰ベルトに備えられた一対の挿通部材が遊びをもって第１側部ベルト及び第２側部ベルトをそれぞれ挿通させることができるので、作業者が最初に本願発明の支持装置を装着したとき、作業者の体格、身長等に応じた最適の位置に第１側部ベルト及び第２側部ベルトを位置調整することができる。また、腰ベルトに工具ポケットや留め輪又はなす環等を設けておくこともできる。
【００３０】
本願発明により、本願発明の支持装置を装着した作業者の腕、胸等の運動範囲にほとんど制約を受けることがなく、しかも、作業者の胸部範囲を自由な状態とすることができる。胸部への負担が軽減されるので、女性の作業者であっても自由に本願発明の支持装置を装着することができる。しかも、支持板で保持した携帯型作業機の荷重は、作業者の上半身半にほぼ均等に配分されるので、携帯型作業機の荷重負担をバランスよく配分することができる。
【発明を実施するための最良の形態】
【００３１】
本発明の好適な実施の形態について、添付図面に基づいて以下において具体的に説明する。図１は本発明の代表的な実施形態である携帯型作業機の支持装置における外観を示す全体斜視図、図２は支持装置の展開図、図３は図２における展開図において肩紐を構成する部材を実線で示した展開図、図４は図２における展開図において携帯型作業機を保持する支持板を支持する部材を実線で示した展開図である。その他に図２で示す断面部位でのＩ−Ｉ断面からＩＶ−ＩＶ断面をそれぞれ図５〜図８において示している。
【００３２】
なお、本実施形態では背板や肩紐を構成する部材及び支持板を支持する部材の形状、及び背板への固定角度を図示例で示した形状及び取付け角度等を例に挙げて説明するが、本発明における背板や肩紐を構成する部材及び支持板を支持する部材の形状、及び背板に対する固定角度等は以下での説明に使用する図示例に限定されるものではなく、多様な変更が可能である。
【実施例】
【００３３】
図１では、図示せぬ作業者に支持装置１が装着された外観図を示している。図１における背板２の前面上部側には、左右一対の肩ベルト３、４の一端部が、即ち、図３における端部３ｂ、４ｂが、それぞれ縫合せ３４により固定されている。また、背板２の前面下部側には、腰ベルト５が、即ち、図３における腰ベルト５の中間部５ｂが、縫合せ３４により固定されている。縫合せ３４により固着する肩ベルト３、４及び腰ベルト５は、合成繊維製の生地やキャンパス生地等の内部に発泡体やゴムスポンジ等のクッション材３２及び補強板３３（例えば、図５、図６参照。）を内包したベルト形状に形成されている。補強板３３としては、可撓性を有する合成樹脂板、厚手の布等を使用することができる。
【００３４】
尚、本願実施例を説明する各図において、点線で示す部位は縫合せ３４による固着箇所を示しているが、以下において説明するベルト、バンド、背板、支持板等における固定は縫合せによる固定以外にもスナップボタン、鋲等による固定を行うことができるものである。
【００３５】
図１に示すように支持装置１を装着した図示せぬ作業者において、作業者の右腕が肩ベルト４と第２側部ベルト９を構成するベルト９ｃとの間に挿入され、左腕が肩ベルト３と第１側部ベルト８を構成するベルト８ｃとの間に挿入されることになる。また、作業者の背中は肩当てパッド３６が当接し、作業者の背骨側の腰は腰ベルト５が当接する。
【００３６】
更に、作業者の腹部側には、支持ベルト７を構成するベルト７ｃ、第２側部ベルト９を構成するベルト２３ａ、２３ｂ及び第１側部ベルト８を構成するバンド２１等が配設されることになる。作業者の左右の側筋部には第１側部ベルト８及び第２側部ベルト９が当接することになる。また、背板２に背板としての強度を損なわない範囲で背抜き２ａを形成しておくことができる。背抜き２ａを介して支持装置１を装着した作業者の背中側における発汗を抑えることができる。
【００３７】
背板２の形状としては、図２に示すように上端部側から下端部側に向かって細くなり、途中から下端部側に向かって拡幅した形状とすることができる。下端部側が拡幅した形状とすることにより、同拡幅部で腰ベルト５を広い範囲にわたって縫い付けることができる。また、各腹部の形状を作業者の腰の形状に近い形状としておくこともできる。背板２の形状としては、図２に記載した形状に限定されるものではなく、他の形状を採用することができるものである。
【００３８】
背板２に固定した左右一対の肩ベルト３、４の一端部を覆う形で、背当てパッド３６が縫合せ３４により背板２に固定されている。また、背当てパッド３６は、合成繊維製の生地やキャンパス生地等の生地で発泡体やゴムスポンジ等を包み込む形で背板２に固定されている。これにより、背当てパッド３６、肩ベルト３、４及び腰ベルト５は、作業者の身体に密着して安定状態で当接することができる。背当てパッド３６は動物の皮等を用いて構成することも可能である。
【００３９】
肩ベルト３、４及び腰ベルト５としては、発泡体やゴムスポンジ等のクッション材を合成繊維製の生地やキャンパス生地等によりカバーしたパッド部材を別途構成し、同パッド部材を背板２に固定したバンドに取付ける構成とすることもできる。また、肩ベルト、腰ベルトを作業者に近い立体形状に変形し易くするために、発泡体やゴムスポンジ等のクッション材にスリットを形成しておくことも、前記クッション材の外側に可撓性を有する補強板３３（例えば、図５、図６参照。）を設けておくこともできる。補強板３３としては、厚手の布、合成樹脂製の板等を用いることができる。
【００４０】
図５は、図２におけるＩ−Ｉ断面図を示し、図６は図２での肩ベルト４におけるＩＩ−ＩＩ断面図を示している。肩ベルト３の断面形状は、図６の肩ベルト４の断面形状と同様の形状を有している。このため、肩ベルト３の断面形状は、図６の断面形状をもって省略するものとする。
【００４１】
左右一対の肩ベルト３、４の背板２側に、両肩ベルト３、４の間隔を規制する補強片１０を設け、同補強片１０の両端部１０ａ、１０ｂを縫合せ３４によりそれぞれ肩ベルト３及び肩ベルト４に固定しておくことができる。補強片１０は、両肩ベルト３、４の間隔を規制する機能と共に、支持装置１を持ち運ぶための取手、あるいは壁等に支持装置１を引っ掛けておくための被フック部としての機能を持たせることもできる。
【００４２】
図１〜図３を用いて左右一対の肩紐の構成について説明する。肩ベルト３、４の自由端部３ａ、４ａにはベルトアジャスター２５、２６がそれぞれ取り付けられている。ベルトアジャスター２５、２６は、腰ベルト５の両端における自由端部５ａ、５ｃにそれぞれ縫合せ３４により取り付けたバンド１５ａ、１６ａを長さ調節自在に係止することができる。また、ベルトアジャスター２５、２６は、両端を肩ベルト３、４の各自由端部３ａ、４ａに縫合せ３４により固定されたそれぞれのバンド１３、１４が形成するループ部に取り付けられている。
【００４３】
これにより、長さ調節自在の肩紐を左右１組形成することができる。尚、肩紐を形成するのに、ベルトアジャスターを腰ベルト５の自由端部５ａ、５ｃ側に取り付け、肩ベルト３、４の自由端部３ａ、４ａにそれぞれバンドを取り付ける構成とすることもできる。
【００４４】
腰ベルト５の自由端部５ａ、５ｃに取り付けるバンド１５ａ、１６ａの一部をループ状に形成して、同ループ状に形成したループ部をそれぞれに後述する第１側部ベルト８及び第２側部ベルト９を挿通することのできる挿通部材１５ｂ、１６ｂとして形成しておくこともできる。第１側部ベルト８及び第２側部ベルト９を挿通部材１５ｂ、１６ｂに挿通させることにより、腰ベルト５に対する第１側部ベルト８及び第２側部ベルト９の位置関係を規定させることができる。
【００４５】
挿通部材１５ｂ、１６ｂとしては、図７に示すように遊びを持って第１側部ベルト８及び第２側部ベルト９を挿通できるループ形状としておくことが望ましい。また、挿通部材１５ｂ、１６ｂを形成したバンド１５ａ、１６ａは、それぞれ縫合せ部３４により腰ベルト５の自由端部５ａ、５ｃに固定するとともに、バンド１５ａ、１６ａの一端部をそれぞれ縫合せ３４によりバンド１５ａ、１６ａに縫合せておくこともできる。
【００４６】
尚、図７では、挿通部材１５ｂを形成する断面図を示しているが、挿通部材１６ｂを形成する断面図も図７と同様の構成となっている。挿通部材１６ｂを形成する断面図については、図７の説明をもって省略することとする。
【００４７】
図１、図２、図４を用いて支持板を支持する構成について説明する。支持ベルト７は第１〜第３バンド７ａ、７ｂ、７ｃとから構成され、第１バンド７ａの一端部１７ｂは、バンド７ａが背板２に対して下向きの傾斜角度となるように背板２の上端部側に縫合せ３４により固定されている。第１バンド７ａの他端部１７ａには、ベルトアジャスター２７が取り付けられ、ベルトアジャスター２７に係止される第２バンド７ｂの長さを調節することができる。
【００４８】
第２バンド７ｂの端部１８ａは、支持板６に縫合せ３４により固定されている。第３バンド７ｃの一端部１９ａは、支持板６に縫合せ３４により固定され、他端部１９ｃには第１係脱部材であるバックルの雌部材３１が取り付けられている。また、第３バンド７ｃの中間部１９ｂには、第２側部ベルト９を構成するバンド２３ｂの一端部が縫合せ３４により固定されている。第２バンド７ｂと第３バンド７ｃとを一体のバンドを用いて構成することもできる。一体のバンドで第２バンド７ｂと第３バンド７ｃとを構成した場合には、支持体６に上記一体のバンドを挿通できる開口部、スリット等を形成し、支持体６を上記一体のバンド上で同バンドの長さ方向に移動可能に保持することもできる。
【００４９】
第１側部ベルト８を構成するベルト８ｃの一端部８ｂは、ベルト８ｃが背板２に対して下向きの傾斜角度となるように背板２の上端部側に縫合せ３４により固定されている。第１側部ベルト８を構成するベルト８ｃの背板２に対する傾斜角度と、支持ベルト７を構成する第１バンド７ａの背板２に対する傾斜角度及び第２側部ベルト９を構成するベルト９ｃの背板２に対する傾斜角度は、それぞれ異なった傾斜角度でそれぞれ背板２に一端が固定されている。即ち、図１で示すように支持ベルト７及び第２側部ベルトが図示せぬ作業者の右側部側に配置され、第１側部ベルトが作業者の左側部側に配置される配置関係となるような傾斜角度でそれぞれの部材が背板２に取り付けられている。
【００５０】
第１側部ベルト８を構成するベルト８ｃは、上述の腰ベルト５に設けたループ状の挿通部材１５ｂ内を挿通させておくことができる。ベルト８ｃの端部８ａには第２係脱部材としてのバックルの雄部材３０を位置調節自在に取り付けたバンド２１が、縫合せ３４により固定されている。雄部材３０は、支持ベルト７を構成する第３バンド７ｃに取り付けた雌部材３１と着脱自在に係合することができる。雄部材３０と雌部材３１のバックルを用いる代わりに、バンド２１と第３バンド７ｃとの間を長さ調節自在に着脱できる通常用いられている着脱具を用いることもできる。
【００５１】
第２側部ベルト９を構成するベルト９ｃの一端９ｂは、背板２に所定の傾斜角度で縫合せ３４により固定されている。ベルト９ｃの端部９ａには、ベルトアジャスター２８を取り付けたバンド２３ａが縫合せ３４により固定されている。ベルトアジャスター２８には支持ベルト７の第３バンド７ｃの中間部１９ｂに一端部を縫合せ３４により固定したバンド２３ｂが長さ調節自在に係止されている。
【００５２】
第１側部ベルト８を構成するベルト８ｃ及び第２側部ベルト９を構成するベルト９ｃとしては、肩ベルト３、４や腰ベルト５と同様に、合成繊維製の生地やキャンパス生地等の内部に発泡体やゴムスポンジ等のクッション材３２、補強板３３（例えば、図７参照。）を内包したベルト形状に形成することも、発泡体やゴムスポンジ等のクッション材を合成繊維製の生地やキャンパス生地等によりカバーしたパッド部材を別途構成し、同パッド部材を背板２に固定したバンドに取付けた構成とすることもできる。
【００５３】
また、第１側部ベルト８を構成するベルト８ｃ及び第２側部ベルト９を構成するベルト９ｃを作業者に近い立体形状に変形し易くするために、発泡体やゴムスポンジ等のクッション材にスリットを形成しておくことも、前記クッション材の外側に可撓性を有する補強板３３（例えば、図７参照。）を設けておくこともできる。補強板３３としては、厚手の布、合成樹脂製の板等を用いることができる。
【００５４】
更に、ベルト、バンド、背板、支持板等の間での相互の固定は、縫合せ３４による固定する以外にもスナップボタン、鋲等による固定を行うことができるものである。支持ベルト７、第１側部ベルト８及び第２側部ベルト９の背板２への取り付けは、背板２の裏面側、即ち、肩ベルト３、４及び腰ベルト５を取り付けた背板２の表面側とは反対の面に取り付けることが望ましい。支持ベルト７、第１側部ベルト８及び第２側部ベルト９を背板２の裏面側に取り付けることにより、作業者に背中に当たる背板２の表面側がデコボコしないように形成することができる。
【００５５】
尚、支持ベルト７、第１側部ベルト８及び第２側部ベルト９を肩ベルト３、４及び腰ベルト５の取り付け面と同じ背板２の面に取り付けることも、支持ベルト７、第１側部ベルト８及び第２側部ベルト９を背板２の表面側に取り付け、肩ベルト３、４及び腰ベルト５を背板２の裏面側に取り付けることもできる。この場合には、背板２の表面側にクッション等を備えた背当てを形成しておくことが望ましい。
【００５６】
支持板６は、図８に示すように板状体６ｂの表面側には図示せぬ携行型作業機を係止する懸架環３５が設けており、作業者の腿部に当接する板状体６ｂの裏面側には、クッション材を内包したパッド６ｃが板状体６ｂに縫製により固定されている。懸架環３５は携行型作業機を係止するフック部３５ａと係止した携行型作業機の抜止めを行うストッパ３５ｂとを備えている。支持板６に取り付けた懸架環３５は図示例のものに限定されるものではなく、多様な変形が可能であり、板状体６ｂの裏面側にパッド６ｃを設けることは必ずしも必要なことではない。
【００５７】
以上は本発明の好適な実施形態について述べたものであり、本発明が上記実施形態に限定されるものではなく、例えば背板２の形状、肩ベルト３、４、腰ベルト５、支持ベルト７、第１側部ベルト８、第２側部ベルト９及び支持板の構成、形態については、図示例の形態に限定されるものではなく本発明の技術思想を逸脱しない範囲において様々な変更が可能である。
【産業上の利用可能性】
【００５８】
本願支持装置は、携帯型作業機の支持装置以外にも、開会式等の入場行進などで携帯される旗の支持装置として適用することもできる。
【図面の簡単な説明】
【００５９】
【図１】本発明の代表的な実施形態である支持装置の外観を示す全体斜視図である。（実施例）
【図２】同支持装置の展開図である。（実施例）
【図３】同支持装置における肩紐を説明する展開図である。(実施例)
【図４】同支持装置の支持板を支持する部材を説明する展開図である。(実施例)
【図５】図２におけるＩ−Ｉ断面図である。(実施例)
【図６】図２におけるＩＩ−ＩＩ断面図である。(実施例)
【図７】図２におけるＩＩＩ−ＩＩＩ断面図である。(実施例)
【図８】図２におけるＩＶ−ＩＶ断面図である。(実施例)
【図９】従来例を示す全体斜視図である。（従来例）
【符号の説明】
【００６０】
１                支持装置
２                背板
３、４            肩ベルト
５                腰ベルト
６                支持板
７                支持ベルト
８                第１側部ベルト
９                第２側部ベルト
１０              補強片
１３、１４        バンド
１５ａ、１６ａ    バンド
１５ｂ、１６ｂ    挿通部材
２１、２２        バンド
２３ａ、２３ｂ    バンド
２４              縫合せ部
２５〜２８        ベルトアジャスター
３０              雄部材
３１              雌部材
３２              クッション材
３３              補強板
３４              縫合せ
３５              懸架環
３６              背当てパッド
４１              作業者
４５              支持バンド
４７              支持板
４８              ベルト装置
４９              背板
５０              脚部範囲
５１、５２        肩ベルト
５３              自由前端部
５４              側部結合バンド
５５              側部ベルト
５８              調整バンド
５９              骨盤ベルト
６２              懸架環
【図１】
2005143453.tif 000003
【図２】
2005143453.tif 000004
【図３】
2005143453.tif 000005
【図４】
2005143453.tif 000006
【図５】
2005143453.tif 000007
【図６】
2005143453.tif 000008
【図７】
2005143453.tif 000009
【図８】
2005143453.tif 000010
【図９】
2005143453.tif 000011